(57)【要約】【課題】ＦＲＰによる十分な補修補強効果を確保し、定着具を使うことによって軸方向の力を健全な鋼材部分に伝達させるために必要な定着長を確保することができるようにした、鋼材の補修構造および補修方法を提供する。【解決手段】２つの鋼材が連結されるフランジ接合部付近の鋼材の補修構造であって、一方の鋼材に貼り付けられたＦＲＰ補修材の表面に、ＦＲＰ定着具の一端部が設置され、かつ、該ＦＲＰ定着具の他端部が、フランジ接合部を超えて、他方の鋼材側に設置されていることを特徴とする鋼材の補修構造、および補修方法。【選択図】図３
2014134287.tif 000002
【特許請求の範囲】
【請求項１】
２つの鋼材が連結されるフランジ接合部付近の鋼材の補修構造であって、一方の鋼材に貼り付けられたＦＲＰ補修材の表面に、ＦＲＰ定着具の一端部が設置され、かつ、該ＦＲＰ定着具の他端部が、フランジ接合部を超えて、他方の鋼材側に設置されていることを特徴とする鋼材の補修構造。
【請求項２】
前記ＦＲＰ定着具が前記フランジ接合部におけるフランジ締結用ボルト内を貫通させて設置されている、請求項１に記載の鋼材の補修構造。
【請求項３】
前記ＦＲＰ定着具が、ヤーン、トウ、ストランド、織物、編物、組紐のうちの少なくとも一つの形態の強化繊維を含む、請求項１または２に記載の鋼材の補修構造。
【請求項４】
前記フランジ締結用ボルトが前記ＦＲＰ定着具を貫通させるための貫通孔を有し、該貫通孔の開口端部がテーパー部に形成されている、請求項２または３に記載の鋼材の補修構造。
【請求項５】
前記ＦＲＰ定着具と前記ＦＲＰ補修材もしくは鋼材との間に土台が介在されている、請求項１〜４のいずれかに記載の鋼材の補修構造。
【請求項６】
前記ＦＲＰ定着具の少なくとも一方の端部が三角状または扇状に形成されている、請求項１〜５のいずれかに記載の鋼材の補修構造。
【請求項７】
前記ＦＲＰ定着具の表面上に、前記ＦＲＰ補修材の強化繊維延設方向と交差する方向に延びる強化繊維を含むＦＲＰシートが設置されている、請求項１〜６のいずれかに記載の鋼材の補修構造。
【請求項８】
前記ＦＲＰ補修材および前記ＦＲＰ定着具の強化繊維として炭素繊維を含む、請求項１〜７のいずれかに記載の鋼材の補修構造。
【請求項９】
以下の工程を有する鋼材の補修方法。
（１）２つの鋼材が連結されるフランジ接合部付近の少なくとも一方の鋼材の表面にＦＲＰ補修材を貼り付ける工程
（２）ＦＲＰ定着具を、前記フランジ接合部におけるフランジ締結用ボルト内を貫通させ、かつ、ＦＲＰ定着具の一端部が前記少なくとも一方の鋼材側のＦＲＰ補修材上まで延び他端部が他方の鋼材側まで延びるように設置する工程
【請求項１０】
さらに、以下の工程を有する請求項９に記載の鋼材の補修方法。
（３）前記ＦＲＰ定着具と前記ＦＲＰ補修材もしくは鋼材との間に土台を設置する工程
【発明の詳細な説明】
【技術分野】
【０００１】
本発明は、フランジ接合された鋼材の補修構造およびその補修方法に関する。
【背景技術】
【０００２】
２つの鋼材（とくに、鋼管）がフランジ部を介して連結されるフランジ付き鋼材の接合においては、両者のフランジを突合せ、設計に応じた強度を持つ複数のボルトをフランジのボルト孔に通して、ナットで締め付けて接合している。しかし、近年鋼材の腐食が顕著化しており、フランジ付き鋼材の接合部付近も同様に腐食が進行しているものも確認されている。
【０００３】
フランジ部付近が腐食した鋼材の腐食部を補修する場合、補修材の定着長の確保や定着方法が難しいため、通常、部材自身を取り替える方法を採用している。しかし、部材を取り替える場合、取り替えのために別途大掛かりな仮設などが必要となり、工期および工事費が増大するという問題がある。
【０００４】
このような問題に対し、例えば特許文献１に記載されているように、既設管路の軸方向に沿ってフランジ部を跨いだ状態で補強筋を配置し、その補強筋の外周囲にＦＲＰ（繊維強化樹脂）を構成するための強化繊維を配置し、ボルト、ナットを埋め込めんだ状態で高強度樹脂を充填する技術を適用することが考えられる。しかしながら、この技術では、フランジ部周りの強度、剛性は得られるものの、その鋼管を取り換える際の工事が難航するという問題を招く。
【０００５】
また、特許文献２には、鋼管ではないが繊維強化樹脂管のフランジ接合部近傍を補強するために、フランジ接合部近傍にさらに管端を突き合わせた接合部分を設け、その接合部分を覆うような管状のジョイントを設置して補強するようにした技術が記載されている。このような技術においては、管路の変位に耐えて接合部が破損することが少なくなるが、応力が常時かかるような既存鋼管のフランジ接合部近傍を補修する場合、上記のような管状のジョイントを設置することは不可能である。
【先行技術文献】
【特許文献】
【０００６】
【特許文献１】特開平１０−２３８６７６号公報
【特許文献２】特開２００１−２０５７０７号公報
【発明の概要】
【発明が解決しようとする課題】
【０００７】
そこで本発明の課題は、フランジ接合部付近が腐食等により劣化した鋼材の補修や鋼材自体の補強について、ＦＲＰによる十分な補修補強効果を確保し、定着具を使うことによって軸方向の力を健全な鋼材部分に伝達させるために必要な定着長を確保することができるようにした、鋼材の補修構造および補修方法を提供することにある。
【課題を解決するための手段】
【０００８】
上記課題を解決するために、本発明に係る鋼材の補修構造は、２つの鋼材が連結されるフランジ接合部付近の鋼材の補修構造であって、一方の鋼材に貼り付けられたＦＲＰ補修材の表面に、ＦＲＰ定着具の一端部が設置され、かつ、該ＦＲＰ定着具の他端部が、フランジ接合部を超えて、他方の鋼材側に設置されていることを特徴とする構造からなる。
【０００９】
このような本発明に係る鋼材の補修構造においては、フランジ接合部付近の鋼材の腐食部等の補修すべき部位上にＦＲＰ補修材が貼り付けられてその補修部位がＦＲＰ補修材によって補修補強されるが、そのＦＲＰ補修材の表面にＦＲＰ定着具の一端部が設置され、該ＦＲＰ定着具はフランジ接合部を超えて延び、ＦＲＰ定着具の他端部が他方の鋼材側に設置される。補修すべき部位上に貼り付けられたＦＲＰ補修材がＦＲＰ定着具によって固定されることで、ＦＲＰ補修材による補修補強作用が発現され、ＦＲＰ定着具がフランジ接合部を跨いで両側に延びることで、ＦＲＰ定着具自身の安定した設置状態の維持が可能になるとともに、ＦＲＰ補修材を定着させ、軸方向の力を補修部位に隣接する健全な鋼材部分に伝達させるために必要な定着長を十分にとることが可能になり、それによってＦＲＰ補修材による十分に高い補修補強効果が安定した形態にて確保されることになる。そして、この構造による補修は、フランジ接合部を実質的にそのままの形態にして、鋼管部材を解体・取替えすることが不要であるので、短期間の工期で実施可能であり、鋼材の交換が不要であり、経済的にも有利な構造となる。
【００１０】
上記本発明に係る鋼材の補修構造においては、上記ＦＲＰ定着具がフランジ接合部におけるフランジ締結用ボルト内を貫通させて設置されている構造とすることができる。このようにすれば、ＦＲＰ定着具の所望の設置位置をより安定した状態にて維持することができる。ＦＲＰ定着具をフランジ締結用ボルト内を貫通させるには、例えば、既存のフランジ締結用ボルトを孔付きボルトに交換することで容易に達成できる。
【００１１】
また、上記ＦＲＰ定着具の形態としては、特に限定されず、例えば、ヤーン、トウ、ストランド、織物、編物、組紐のうちの少なくとも一つの形態の強化繊維を含むものから構成することができる。
【００１２】
また、上記フランジ締結用ボルトとして上記ＦＲＰ定着具を貫通させるための貫通孔を有するものを用いる場合、該貫通孔の開口端部がテーパー部に形成されている構造を採ることもできる。ＦＲＰ定着具をフランジ締結用ボルトの貫通孔に貫通させる場合、貫通孔の開口端部でＦＲＰ定着具が折れ曲がりやすい構造となりやすく、大きな角度をもって折れ曲がると、折れ曲がり部分における応力集中が大きくなる可能性がある。貫通孔の開口端部がテーパー部に形成されていることで、ＦＲＰ定着具が大きな角度をもって折れ曲がることが回避され、大きな応力集中の発生が防止される。
【００１３】
また、上記ＦＲＰ定着具と上記ＦＲＰ補修材もしくは鋼材との間に土台が介在されている構造とすることもできる。ＦＲＰ定着具は、フランジ接合部を跨いで両側に延びることになり、フランジ締結用ボルトを貫通して延びる場合を含めて、ＦＲＰ定着具のフランジ接合部における径方向位置は、鋼材の表面やＦＲＰ補修材の表面の位置よりもより大径側の位置となることが多く、フランジ接合部の両側においては、ＦＲＰ定着具と鋼材の表面やＦＲＰ補修材の表面との間に隙間（デッドスペース）が生じる構造となることが多い。この隙間をそのまま残しておくことも可能であるが、隙間のまま残しておくと、その隙間に対応するＦＲＰ定着具部位の姿勢が不安定になり、隙間端部部分からＦＲＰ定着具が剥がれやすくなる可能性があるので、隙間を埋めてＦＲＰ定着具を支持すべく、土台を設けておくことが好ましい。土台の素材としては、例えば、石膏、樹脂などを使用できるが、施工の行いやすい樹脂（例えば、エポキシ、アクリル、ウレタン、ポリウレア樹脂など）の使用が好ましい。
【００１４】
また、上記ＦＲＰ定着具の少なくとも一方の端部は、例えば、三角状または扇状に広がる端部に形成されていることが好ましい。つまり、ＦＲＰ定着具の端部が、ＦＲＰ補修材の表面上や鋼材の表面上に設置される際に、その端部が三角状または扇状に広げられる。このようにすれば、定着部の面積を大きく確保でき、より安定した定着が可能になる。
【００１５】
また、本発明に係る鋼材の補修構造においては、設置したＦＲＰ定着具の固定形態をより安定して維持するために、上記ＦＲＰ定着具の表面上に、上記ＦＲＰ補修材の強化繊維延設方向と交差する方向に延びる強化繊維を含むＦＲＰシートが設置されている構造とすることができる。このようにすれば、ＦＲＰ補修材とその上に設置されているＦＲＰ定着具が、ＦＲＰシートによってより強固に固定されることになるので、補修構造部の所望の構造が安定して維持されることになる。
【００１６】
また、上記ＦＲＰ補修材および上記ＦＲＰ定着具のＦＲＰを構成する強化繊維としては、種々の強化繊維を使用可能であり、例えば、炭素繊維、ガラス繊維、アラミド繊維、ポリパラフェニレンベンズオキサゾール（ＰＢＯ）繊維および高強度ポリエチレン繊維からなる群から選ばれる少なくとも一種の連続繊維を用いることができる。中でも引張弾性係数が２４５ＧＰａ〜６４０ＧＰａの範囲となる炭素繊維を使用することが好ましい。炭素繊維は、連続繊維の中でも強度および弾性率に優れるため好ましい。また、その形態は、連続繊維そのものやシート状に加工した織物などを現場で樹脂を含浸させてＦＲＰを形成させてもよいし、プリプレグあるいは予め樹脂を含浸硬化させたＦＲＰを接着剤で貼り付けるようにしてもよい。
【００１７】
ＦＲＰの接着剤としては、例えば合成樹脂系の接着剤を用いることができ、例えば、エポキシ系樹脂、アクリル系樹脂、ビニルエステル系樹脂、フェノール系樹脂および不飽和ポリエステル系樹脂からなる群から選ばれる少なくとも一種の樹脂を用いることができる。耐久性および強度発揮特性を考慮すれば、エポキシ系樹脂、アクリル系樹脂を用いるのが好ましい。
【００１８】
本発明は、以下の工程を有する鋼材の補修方法についても提供する。
（１）２つの鋼材が連結されるフランジ接合部付近の少なくとも一方の鋼材の表面にＦＲＰ補修材を貼り付ける工程
（２）ＦＲＰ定着具を、前記フランジ接合部におけるフランジ締結用ボルト内を貫通させ、かつ、ＦＲＰ定着具の一端部が前記少なくとも一方の鋼材側のＦＲＰ補修材上まで延び他端部が他方の鋼材側まで延びるように設置する工程
【００１９】
この本発明に係る鋼材の補修方法においては、さらに、以下の工程を有することが好ましい。
（３）上記ＦＲＰ定着具と上記ＦＲＰ補修材もしくは鋼材との間に土台を設置する工程
【発明の効果】
【００２０】
このように、本発明に係る鋼材の補修構造および補修方法によれば、フランジ接合部付近が腐食等により劣化した鋼材に対し、十分な定着方法が確保でき、かつ短工期で、経済的に有利な補修を行うことができる。
【図面の簡単な説明】
【００２１】
【図１】本発明の一実施態様に係る鋼材の補修構造における補修すべき部位を例示した概略正面図である。
【図２】図１の補修部位を補修した鋼材の補修構造を示す概略正面図である。
【図３】図２の補修構造の断面図である。
【図４】図２の補修構造に用いたＦＲＰ定着具と貫通孔を有するボルトの拡大斜視図である。
【図５】貫通孔を有するボルトの変形例を示す断面図である。
【図６】本発明の別の実施態様に係るリブ付きフランジ鋼材の補修構造を示す概略正面図である。
【図７】図６の補修構造の断面図である。
【発明を実施するための形態】
【００２２】
以下に、本発明の実施の形態について、図面を参照しながら説明する。
図１は、鋼材の補修すべき部位を例示しており、図２〜図４は、この補修すべき部位を補修した本発明の一実施態様に係る鋼材の補修構造を示している。図１においては、２つの鋼材としての鋼管１、２が、それらのフランジ３、４で連結されており、フランジ３、４は複数の既設ボルト５で締結されている。このフランジ接合部６付近に、補修すべき部位として腐食部７、８が発生している例が示されている。これら腐食部７、８が、図２〜図４に示すように補修される。
【００２３】
まず、上記フランジ接合部６付近の腐食部７、８を含む鋼管１、２の表面に、それぞれ、ＦＲＰ補修材９、１０が貼り付けられる。貼り付けには、前述したような接着剤を使用すればよい。ＦＲＰ補修材９、１０の強化繊維には、鋼管１、２の管軸方向に延びるものが配されていることが好ましい。これらＦＲＰ補修材９、１０は、腐食程度に応じて複数枚積層することができる。積層する場合には、隣接層の強化繊維の延設方向を互いに異なる方向に設定することもできる。
【００２４】
次に、既設ボルト５よりも材質強度が高く、ボルト断面中央部にボルト軸方向に沿って延びる貫通孔を有する孔付きボルト１１が必要本数準備される。孔付きボルト１１の貫通孔１２（図３）に、本実施態様では、強化繊維束にマトリックス樹脂を含浸させたＦＲＰ定着具１３が貫通されて通され、かつ、孔付きボルト１１が、フランジ接合部６に設置されていた既設ボルト５と取り替えられる。すなわち、ＦＲＰ定着具１３は、フランジ接合部６を跨いでフランジ接合部６の両側に延びるように設置される。既設ボルト５の取替えは、鋼管が供用中の場合、一気に全部取り外すことはできないので、ボルト強度を把握しながら１本ずつ取替えが行われる。本実施態様では、ＦＲＰ定着具１３として、強化繊維束にマトリックス樹脂を含浸させておいて所定の形態で設置した後に一気にマトリックス樹脂を硬化させる手法を採用したが、例えば、強化繊維束を孔付きボルト１１の貫通孔１２に通しておき、後に樹脂を含浸させ，硬化させるようにしてもよいし、貫通孔１２に通した部分のみ樹脂硬化させておき、フランジ接合部６の両側に延びる部分は後で硬化させるようにしてもよい。図４に示すような寸切りボルト（両端ねじ）の孔付きボルト１１を使用する場合には、フランジ接合部６の両側でナット１４を用いてフランジ３、４が締結される。
【００２５】
ナット１４による締結後、フランジ接合部６の両側に延びるＦＲＰ定着具１３と各ＦＲＰ補修材９、１０との間のデッドスペースを埋めるべく、前述したような材質の（好ましくは樹脂製の）土台１５、１６が作製、設置される。
【００２６】
土台１５、１６が設置された状態で、ＦＲＰ定着具１３の端部（本実施態様では両端部）が三角状または扇状に拡げられ、その両端部がＦＲＰ補修材９、１０の表面に接着、接合される。この接合だけでＦＲＰ定着具１３のＦＲＰ補修材９、１０への接合力が十分の場合にはそのままでもよいが、本実施態様ではさらに形態の固定性を高めるために、ＦＲＰ定着具１３の上から、ＦＲＰシート１７、１８が、その強化繊維延設方向がＦＲＰ定着具１３やＦＲＰ補修材９、１０の強化繊維延設方向に対し直角となるように、ＦＲＰ定着具１３の表面に巻きつけられる。このＦＲＰシート１７、１８についても、前もってマトリックス樹脂を強化繊維に含浸させたもの、先に強化繊維のみを巻き付け、巻き付けられた強化繊維に対し施工場所にて樹脂を含浸させるものの、いずれも適用可能である。なお、一方の鋼管に補修すべき腐食部等が存在しない場合には、その鋼管の表面上まで延び鋼管の表面上に貼り付けられたＦＲＰ定着材の上から上記のようにＦＲＰシートが巻き付けられればよい。
【００２７】
また、更に固定性を求める場合は、土台１５，１６の端部に、線条体がリング状に延びた固定具を巻いて固定してもよい。リング状の固定具の線条体の断面は円形が好ましく、直径は１ｍｍ以上で、材質は金属、樹脂、ゴム等を用いることができるが、金属とすることが好ましい。
【００２８】
上記実施態様において、上記のようにフランジ締結用ボルトとしてＦＲＰ定着具１３を貫通させるための貫通孔１２を有するものを用いる場合、例えば図５に示すように、貫通孔２１の両側の開口端部がテーパー部２２に形成されている孔付きボルト２３を用いることもできる。このようなテーパー部２２を有することにより、貫通孔２１の開口端部でＦＲＰ定着具１３が大きな角度をもって折れ曲がることが防止され、それによってＦＲＰ定着具１３に大きな応力集中が発生することが防止される。
【００２９】
図６、図７は、本発明の別の実施態様に係るリブ付きフランジ鋼材（リブ付きフランジ鋼管）の補修構造を示している。図６、図７に示す実施態様においては、フランジ３、４付近にリブ２４、２５があり、この場合、ＦＲＰ補修材９、１０は、そのＦＲＰ補修材の補強繊維を短く切らずに、繊維束間を裂いて開き、リブ２４、２５を避けるように割ってフランジ３、４付近まで延ばしておく。
【００３０】
しかし、リブ２４、２５の幅（厚み）が厚く、繊維束を裂いて貼り付けることが困難な場合には、リブ２４、２５を避けて貼り付けできるように、リブ２４、２５の幅厚み分のスリットを予めＦＲＰ補修材９、１０内に設け、櫛状になったＦＲＰ補修材９、１０を設置してもよい。ただし、この方法を採用した場合、リブ２４、２５の幅厚み分失ったＦＲＰ補修材９、１０の剛性を補間する為に、切り取られて失った分のＦＲＰ補修材９、１０の剛性分（ＦＲＰ補修材の弾性率×失ったＦＲＰ補修材の横断面積）の補間用ＦＲＰ補修材(図示略)を、リブ２４同士、リブ２５同士の間に貼り付け、さらに軸方向には、リブ２４、２５の長さに定着長分５０ｍｍ以上を加えた長さの、補間用ＦＲＰ補修材を設置することが好ましい。
【００３１】
なお、土台１５、１６は、リブ２４、２５同士の間で設置すればよい。また、ＦＲＰシート１７、１８は、リブ付け根を避けるように軸直角方向に巻けばよい。
【００３２】
上記各実施態様の如く、本発明では、実質的に２つの鋼管１、２の締結状態を維持したまま、容易に短時間で腐食部等を補修でき、補修後も補修部の十分な強度を確保することが可能になる。
【産業上の利用可能性】
【００３３】
本発明に係る鋼材の補修構造および補修方法は、フランジ接合されるあらゆる鋼材の補修に適用できる。
【符号の説明】
【００３４】
１、２  鋼材としての鋼管
３、４  フランジ
５  既設ボルト
６  フランジ接合部
７、８  補修すべき部位としての腐食部
９、１０  ＦＲＰ補修材
１１、２３  孔付きボルト
１２、２１  貫通孔
１３  ＦＲＰ定着具
１４  ナット
１５、１６  土台
１７、１８  ＦＲＰシート
２２  テーパー部
２４、２５  リブ
【図１】
2014134287.tif 000003
【図２】
2014134287.tif 000004
【図３】
2014134287.tif 000005
【図４】
2014134287.tif 000006
【図５】
2014134287.tif 000007
【図６】
2014134287.tif 000008
【図７】
2014134287.tif 000009